(57)【要約】  本発明は、使い捨て可能な吸収性のパンツ型の衛生用品（２）に関するものであり、ウエスト開口部を形成しながら円周方向に連続する閉じたウエスト周縁部（２０）と、レッグ開口部（８ａ、ｂ）と、長辺周縁区域（１６、１８）を有する前側部分（６）および裏側部分（４）と、前側部分（６）と裏側部分（４）との間に配置された股上領域（１０）とを備え、円周方向に連続する閉じたウエスト周縁部（２０）とレッグ開口部（８ａ、ｂ）とは、前側部分（６）および裏側部分（４）の長辺周縁区域（１６、１８）が製造者の側で互いに結合されることによって形成され、さらに吸収体（２２）を備え、各々のレッグ開口部（８ａ、ｂ）は弾性的なレッグ開口区域（８１）を有し、吸収体（２２）の両側にはその長手方向（２８）に延びるカフ部材（７）が設けられ、各々のカフ部材（７）は弾性的なカフ区域（９）を有し、ａ）各々のカフ部材（７）は少なくとも１つの弾性的でないカフ区域（１１）を有し、利用者の身体への当接後に弾性的なレッグ開口区域（８１）は弾性的でない各々のカフ区域（１１）と交差し、または、ｂ）各々のカフ部材（７）の長手方向長さは、利用者の身体への当接後に弾性的なレッグ開口区域（８１）と各々のカフ部材（７）との交差が生じないように設定されている。【選択図】図１
2008544783.tif 000002
【特許請求の範囲】
【請求項１】
使い捨て可能な吸収性のパンツ型の衛生用品（２）であって、
ウエスト開口部を形成しながら円周方向に連続する閉じたウエスト周縁部（２０）と、レッグ開口部（８ａ、ｂ）と、長辺周縁区域（１６、１８）を有する前側部分（６）および裏側部分（４）と、前記前側部分（６）と前記裏側部分（４）との間に配置された股上領域（１０）とを備え、
円周方向に連続する閉じた前記ウエスト周縁部（２０）と前記レッグ開口部（８ａ、ｂ）とは、前記前側部分（６）および前記裏側部分（４）の前記長辺周縁区域（１６、１８）が製造者の側で互いに結合されることによって形成され、
さらに吸収体（２２）を備え、
各々の前記レッグ開口部（８ａ、ｂ）は弾性的なレッグ開口区域（８１）を有し、前記吸収体（２２）の両側にはその長手方向（２８）に延びるカフ部材（７）が設けられ、各々の前記カフ部材（７）は弾性的なカフ区域（９）を有し、
ａ）各々の前記カフ部材（７）は、少なくとも１つの弾性的でないカフ区域（１１）を有し、利用者の身体への当接後に、弾性的な前記レッグ開口区域（８１）は、弾性的でない各々の前記カフ区域（１１）と交差し、または、
ｂ）各々の前記カフ部材（７）の長手方向長さは、前記利用者の身体への当接後に弾性的な前記レッグ開口区域（８１）と各々の前記カフ部材（７）との交差が生じないように設定される、
衛生用品。
【請求項２】
各々の前記カフ部材（７）は、２つの弾性的でないカフ区域（１１）を有し、第１の弾性的でないカフ区域は、弾性的な前記カフ区域（９）よりも前側の前記ウエスト周縁部（２０ａ）の近くに配置され、第２の弾性的でないカフ区域は、後側の前記ウエスト周縁部（２０ｂ）の近くに配置されていることを特徴とする、請求項１に記載の衛生用品。
【請求項３】
各々の前記カフ部材（７）は、少なくとも区域的に前記股上領域（１０）に位置決めされたただ１つの弾性的なカフ区域（９）を有することを特徴とする、請求項１または２に記載の衛生用品。
【請求項４】
各々の前記カフ部材（７）は、少なくとも２つの弾性的なカフ区域を有し、弾性的な前記カフ区域は弾性的でない前記カフ区域によって互いに間隔をおいていることを特徴とする、請求項１〜３のいずれか一項に記載の衛生用品。
【請求項５】
弾性的な前記カフ区域（９）および／または弾性的な前記レッグ開口区域（８１）は、糸状またはテープ状の弾性化手段（７３、８６）によって弾性化されていることを特徴とする、請求項１〜４のいずれか一項に記載の衛生用品。
【請求項６】
弾性的でない前記カフ区域（１１）は、前記カフ区域（１１）に延びていた弾性化手段が分断されたことによって得られることを特徴とする、請求項１〜５のいずれか一項に記載の衛生用品。
【請求項７】
前記分断は、多数の切れ目によって実現されていることを特徴とする、請求項６に記載の衛生用品。
【請求項８】
弾性的でない前記カフ区域（１１）は、前記カフ区域（１１）に延びていた弾性化手段が、熱および／または圧力および／またはレーザ作用および／または超音波の適用によって、弾性化作用を取り除かれたことで得られることを特徴とする、請求項１〜７のいずれか一項に記載の衛生用品。
【請求項９】
弾性的でない前記カフ区域（１１）は、前記カフ区域（１１）に延びている弾性化手段が応力なしに配置されることによって得られることを特徴とする、請求項１〜８のいずれか一項に記載の衛生用品。
【請求項１０】
弾性的でない前記カフ区域（１１）は、少なくとも区域的に弾性化手段が配置されないことによって得られることを特徴とする、請求項１〜９のいずれか一項に記載の衛生用品。
【請求項１１】
前記カフ部材（７）は、遠位の周縁部（７１）と近位の周縁部（７２）とを有し、弾性的な前記カフ区域は、前記遠位の周縁部に配置された糸状またはテープ状の弾性化手段（７３）によって弾性化されていることを特徴とする、請求項１〜１０のいずれか一項に記載の衛生用品。
【請求項１２】
前記吸収体（２２）は、蓄積コア（１２）と、前記蓄積コア（１２）を上から覆うトップシート（１３）と、前記蓄積コアを下から覆うバックシート（１４）と、を有することを特徴とする、請求項１〜１１のいずれか一項に記載の衛生用品。
【請求項１３】
前記カフ部材（７）の各々の前記遠位の周縁部（７１）は、その前側および／または後側の端部区域（７４）では前記トップシート（１３）の上に固定されていることを特徴とする、請求項１〜１２のいずれか一項に記載の衛生用品。
【請求項１４】
前記カフ区域（７）の各々の前記遠位の周縁部（７１）は、各々の前記端部区域（７４）が内方に向って前記用品の長軸（Ｌ）の方向に位置するように前記トップシート（１３）の上に固定されることによって、内方に向って前記用品の中央の長軸（Ｌ）の方向に傾いていることを特徴とする、請求項１〜１３のいずれか一項に記載の衛生用品。
【請求項１５】
各々の前記レッグ開口部（８ａ、ｂ）の第１の弾性的な前記レッグ開口区域（８１）は、製造者の側で長辺周縁区域（１６、１８）が結合される以前の平坦に広がった状態のとき、前記用品の前記前側部分（６）または前記裏側部分（４）の長辺周縁部（１２、１４）を起点として、各々の前記レッグ開口部（８ａ、ｂ）の円周（４０）に沿って曲線を描きながら股上中心線（４２）に向かう方向に設けられることを特徴とする、請求項１〜１４のいずれか一項に記載の衛生用品。
【請求項１６】
各々の前記レッグ開口部（８ａ、ｂ）の第３の弾性的な前記レッグ開口区域（８３）は、製造者の側で長辺周縁区域（１６、１８）が結合される以前の平坦に広がった状態のとき、前記用品の前記前側部分（６）または前記裏側部分（４）の長辺周縁部（１２、１４）を起点として、各々の前記レッグ開口部（８ａ、ｂ）の円周（４０）に沿って曲線を描きながら股上中心線（４２）に向かう方向に設けられていることを特徴とする、請求項１〜１５のいずれか一項に記載の衛生用品。
【請求項１７】
第１の前記レッグ開口区域（８１）に続いて第２の弾性的なレッグ開口区域（８２）が設けられ、続いて第３の弾性的な前記レッグ開口区域（８３）が設けられることを特徴とする、請求項１６に記載の衛生用品。
【請求項１８】
第２の弾性的な前記レッグ開口区域（８２）は、中央の長軸（Ｌ）に対して実質的に平行に配置された糸状またはテープ状の弾性化手段（８４）によって弾性化されていることを特徴とする、請求項１７に記載の衛生用品。
【請求項１９】
第２の弾性的な前記レッグ開口区域（８２）の各々の端部領域は、第１の前記レッグ開口区域（８１）および／または第３の弾性的な前記レッグ開口区域（８３）の各々の端部領域から長さＡだけ間隔をおき、前記Ａは好ましくは少なくとも１０ｍｍであり、さらに好ましくは少なくとも１５ｍｍであることを特徴とする、請求項１５または１６に記載の衛生用品。
【請求項２０】
第２の弾性的な前記レッグ開口区域（８２）の前記弾性化手段（８４）は、前記吸収体（２２）の前記トップシート（１３）および／または前記バックシート（１４）に固定されていることを特徴とする、請求項１〜１９のいずれか一項に記載の衛生用品。
【請求項２１】
第２の弾性的な前記レッグ開口区域（８２）の前記弾性化手段（８４）は、前記バックシート（１４）の折り目に固定されていることを特徴とする、請求項１〜２０のいずれか一項に記載の衛生用品。
【請求項２２】
弾性的な前記カフ区域（９）の長手方向長さは、第１の弾性的な前記レッグ開口区域（８１）と第３の弾性的な前記レッグ開口区域（８３）との間の間隔Ｃの長手方向長さよりも最高で８ｃｍだけ、特に最高で６ｃｍだけ、特に最高で４ｃｍだけ、特に最高で２ｃｍだけ大きいことを特徴とする、請求項１７〜２１のいずれか一項に記載の衛生用品。
【発明の詳細な説明】
【技術分野】
【０００１】
本発明は、ウエスト開口部を形成しながら円周方向に連続する閉じたウエスト周縁部と、レッグ開口部とを備え、円周方向に連続する閉じたウエスト周縁部とレッグ開口部とは、前側部分および裏側部分の長辺周縁区域が製造者の側で互いに結合されていることによって形成され、さらに吸収体と、少なくとも１つの弾性的なレッグ開口区域と、弾性的なカフ区域を有する、吸収コアの両側のカフ部材とを備える、使い捨て可能な吸収性のパンツ型の衛生用品に関する。
【背景技術】
【０００２】
このような種類の吸収性のブリーフ型衛生用品は周知である。このような衛生費用品は多くの場合、しばしば初期応力をかけられた状態において本体材料と大抵は接着により結合されるゴム弾性的な糸の形態の、多数の弾性化手段を含む。この場合、ウエスト周縁領域は、特に円周方向に連続して弾性化されていることが普通である。前側領域および裏側領域にも、公知のズボン型オムツでは弾性化手段が設けられている。同様に、レッグ開口部を取り囲む、ないしはレッグ開口部を形成する周縁領域も、少なくとも区域的に弾性的に構成され、それにより、その個所で衛生用品が利用者の皮膚表面にほぼ密閉をするように当接することが保証され、身体排泄物が横から外へ出るのを防止する。弾性的なレッグ開口部に加えて、さらに別の側方の流出防護部を提供する起立したカフ部材も、公知のズボン型オムツですでに採用され、例えば特許文献１、特許文献２、特許文献３等から公知である。
【０００３】
このようなレッグ開口部またはカフ部材の領域にある初期応力をかけられた弾性化された領域が皮膚表面に当たると、多くの場合に糸状である弾性化手段の摩擦や力作用によって引き起される皮膚刺激をしばしば伴う。これに加えて、体液あるいは汗の分泌による衛生用品内部の湿潤条件が付け加わると、この問題は一層深刻になる。これは、活動性の増加すなわち利用者の運動によって一層深刻化する。
【特許文献１】欧州特許出願公開第１１８４０１７−Ａ１号明細書
【特許文献２】欧州特許出願公開第１１９９０５８−Ａ１号明細書
【特許文献３】欧州特許出願公開第１３０８１４８−Ａ２号明細書
【発明の開示】
【発明が解決しようとする課題】
【０００４】
以上を前提とする本発明の課題は、冒頭に述べた種類の吸収性衛生用品の履き心地を改善し、特に皮膚の刺激状態の発生を減らすことである。
【課題を解決するための手段】
【０００５】
この課題は本発明によると、当分野に属する衛生用品において、ａ）各々のカフ部材は少なくとも１つの弾性的でないカフ区域を有し、利用者の身体への当接後に弾性的なレッグ開口区域は弾性的でない各々のカフ区域と交差し、または、ｂ）各々のカフ部材の長手方向長さは、利用者の身体への当接後に弾性的なレッグ開口区域と各々のカフ部材との交差が生じないように設定されていることによって解決される。
【０００６】
優先的に用いられている糸状またはテープ状の弾性化手段は、これと結合される材料との間で、初期応力をかけられた状態で結合されると、当該材料のギャザまたはひだを生じさせるので、弾性化手段は、弛緩した状態のとき、不快に感じられる場合がある材料集塊が生じることにつながる。いずれにしても、特に利用者が運動をすると、ギャザまたはひだのある領域すなわち弾性化された領域は、利用者の皮膚表面に対して著しい程度に擦れ、これは、上に述べた皮膚刺激につながる可能性がある。
【０００７】
本発明によると、利用者の皮膚に直接密着して当たる領域で、複数の、すなわち少なくとも２つの弾性的なコンポーネントの重なり合いを回避することが、皮膚刺激の発生の確率を下げることが見出されている。
【０００８】
当分野に属する現代の衛生用品は、二重になった側方の流出防護システムをもともと備えるという背景に鑑みて、カフ部材を中央領域で短い区域にわたって構成するか、または、少なくともこの中央領域でのみ短い区域にわたって弾性的に構成すれば十分であると考えられる。それにより、さらに、弾性化手段や接着剤等の接合材料について、材料削減を実現することができる。
【０００９】
本発明の第１の態様では、カフ部材は、利用者への用品の当接後に、カフ部材と弾性的なレッグ開口部材との交差、すなわち区域的な重なり合いが回避されるように短く、中央の股上領域にのみ配置される。
【００１０】
本発明の第２の態様では、各々のカフは、弾性的なカフ区域と弾性的でないカフ区域とを含み、これらの区域の配置は、弾性的なレッグ開口区域がカフ部材とその非弾性区域で交差するようになっている。
【００１１】
ズボン型オムツは、前側のレッグ開口領域と後側のレッグ開口領域との両方に弾性的なレッグ開口区域を有することが普通であるため、本発明の１つの発展例は、各々のカフ部材が少なくとも２つの弾性化されていない区域を有することを意図している。これらの弾性化されていない区域は、弾性的なカフ区域よりも各々のウエスト周縁部の近くにあり、利用者への用品の当接後に弾性的なレッグ開口区域とカフ部材とが重なり合う個所、すなわち交差する個所に配置されている。
【００１２】
本発明の１つの発展例は、各々のカフ部材に複数の、すなわち少なくとも２つの、弾性的なカフ区域を設けることを意図している。そのような場合、これらの弾性的なカフ区域は、弾性的でないカフ区域によって互いに間隔がおかれている。このことは、カフ部材の配置や長さの設定に関して、フレキシビリティが高くなるという利点を有する。例えば非常に長い吸収体を使いたい場合、カフ部材の確実な起立は、相応に長い弾性化区域によってしか確保することができない。そのような場合、弾性化されていないカフ区域は、２つの弾性化されたカフ区域にはさまれた領域を形成することができ、この領域で、利用者への用品の当接後に弾性的なレッグ開口区域がカフ部材と交差することができる。
【００１３】
弾性的なカフ区域および／または弾性的なレッグ開口区域は、周知の方法で、ゴム糸またはポリエーテルポリウレタン糸またはポリエステルポリウレタン糸といった、特に糸状またはテープ状の弾性化手段によって弾性化された、不織布材料またはシート材料によって構成されることが好ましい。このとき、弾性化手段は初期応力をかけられた状態で不織布材料またはシート材料の上に固定されることが好ましく（ストレッチボンディング）、それにより、初期応力が緩んだ後の弾性化手段の復帰力を通じて、これに対応する区域の弾性的に伸張可能なギャザが実現される。
【００１４】
１つまたは複数の弾性的でないカフ区域は、特に、その個所に弾性化手段が設けられないことによって得られる。このことは材料コストを削減するとともに、オムツの当接後に皮膚刺激につながる、すでに説明した重なり合いの問題をもっとも確実に回避する。
【００１５】
あるいは、１つまたは複数の弾性的でないカフ区域は、特に、弾性化手段がこの区域で弛緩して延びていることによって得ることもできる。
【００１６】
１つまたは複数の弾性的でないカフ区域は、特に、弾性化手段がこの区域でカフ部材と結合されていないことによって得ることができ、それにより、上に説明した「ストレッチボンディング」とこれに後続する応力緩和がなされたとき、弾性化手段はこの区域では応力なしに配置され、したがってカフ部材に力を及ぼすことがなく、このため、この区域ではカフ部材のギャザ形成が行われない。糸状またはテープ状の弾性化手段によって平坦材料コンポーネントを区域的にのみ弾性化することについては、補足として、ドイツ特許出願公開第２６４９９４８−Ａ１号明細書の開示内容を援用する。
【００１７】
本発明による衛生用品は、前側部分と、裏側部分と、その間に配置されたレッグ開口部を備える股上部分とを含む、オムツ本体を構成する外側カバーを有することが好ましい。外側カバーは、不織布材料および／またはシート材料で構成されることが好ましい。空気循環および／または水蒸気循環を保証するために、不織布材料のみが用いられることが好ましい。外側カバーは、特に、前側のウエスト周縁部から後側のウエスト周縁部まで連続的に延びる材料区域として構成されていてもよい。あるいは、例えば国際公開第２００４−０６０２３８号パンフレットがすでに示しているように、前側のカバー部分と後側のカバー部分とで外側カバーを構成することも考えられ、それも好ましい。そのような場合、前側のカバー部分と後側のカバー部分とは股上領域で互いに間隔をおいている。この実施形態では、吸収コアは、前側のカバー部分では前側領域と結合されるとともに、後側のカバー部分では後側領域と結合され、それにより、前側のカバー部分と後側のカバー部分とは吸収コアを介して間接的にのみ、本体を形成するように相互に結合されている。
【００１８】
この実施形態の発展例では、吸収コアは、それぞれのカバー部分の身体に近い方の側で、それぞれ前側領域または後側領域の身体から遠い方の側と結合されていてよい。これに代わる発展例では、配置がこれと逆になっていてよく、すなわち吸収コアは、それぞれのカバー部分の身体から遠い方の側で、前側領域または後側領域の身体に近い方の側と結合されていてもよい。最後に、吸収コアはその前側領域および／または後側領域において、このような場合には多層である前側および／または後側のカバー部分の、身体から遠い方の層と身体に近い方の層との間でサンドイッチ状に配置され、結合されていてもよい。
【００１９】
連続的な外側カバーの場合、吸収コアは外側カバーの一体的な構成要素として、特に身体に近い方のカバー層と身体から遠い方のカバー層との間に配置されていてよい。
【００２０】
１つの好ましい実施形態では、吸収体はその身体から遠い方の側が、外側カバーの身体に近い方の層の上に配置され、ホットメルト接着剤等の接着剤によって、あるいは熱溶着等のその他の接合方法によって、これに固定されていることが好ましい。
【００２１】
吸収コアは、天然繊維または合成繊維、好ましくはセルロース毛羽の形態の、特にセルロース繊維等のような、体液を吸収する材料を含む少なくとも１つの蓄積コアを含む。さらに蓄積コアは、特に表面架橋されて部分中和されたポリアクリラートをベースとする超吸収材料（ＳＡＰ）を含むことが好ましい。吸収体は、少なくとも区域的に透液性のトップシートで覆われることが好ましく、使用時に少なくとも区域的に透液性のバックシートで覆われることがさらに好ましい。トップシートは、特に不織布材料または開口部を備えるシート材料を含む。バックシートは、特に、厚さが最大１５μｍであるシートを含む。あるいはバックシートは、使用時に液体は密封するにもかかわらず水蒸気は透過させる不織布材料、例えばメルトブロー層（Ｍ）およびスパンボンド層（Ｓ）、特にメルトブロー層とスパンボンド層からなる積層、例えばＳＭ積層またはＳＭＳ積層またはＳＭＭＳ積層を含み、もしくはこれらで構成されることが好ましい。特にバックシートは、使用時に液体を密封するにもかかわらず通気性の、すなわち水蒸気を透過させる、特に微孔性のシートを含む。バックシートの水蒸気透過性は、ＤＩＮ５３  １２２−１（２００１年０８月版）に準拠して測定したとき、特に少なくとも３００ｇ／ｍ2／２４ｈ、さらには特に少なくとも１０００ｇ／ｍ2／２４ｈ、さらには特に少なくとも２０００ｇ／ｍ2／２４ｈ、さらには特に少なくとも３０００ｇ／ｍ2／２４ｈ、さらには特に少なくとも４０００ｇ／ｍ2／２４ｈ、さらには特に最大で６０００ｇ／ｍ2／２４ｈである。
【００２２】
カフ部材は吸収コアの両側に延び、特にその近位の周縁部で、吸収コアの身体に近い方の側の各々の長手周縁部に固定され、特にトップシートに固定されている。これに代わる本発明の発展例では、カフ部材の近位の周縁部は吸収コアの範囲外で両側に固定され、すなわち、外側カバーの身体に近い方の側で固定されている。
【００２３】
利用者の方に向って少なくとも区域的に起立している遠位の周縁部は、弾性化手段、特に前述したような種類の糸状またはテープ状の弾性化手段を有することが好ましい。これに代わる実施形態では、カフ部材は弾性シートや弾性不織布のような中実の弾性材料を含み、もしくはこのような弾性材料で構成されている。
【００２４】
カフ材料の遠位の周縁部は、衛生用品の長軸に向かう方向へ内方に向って傾いていることが好ましい。このことは特に、カフ部材の遠位の周縁部が一方または両方の端部区域で、身体の方を向いている吸収コアの側で内方に向って固定され、特にトップシートに固定されていることによって確保される。カフ部材の端部区域を十分に広い区域にわたって吸収コアへ固定することによって、１つの好ましい実施形態では、この区域から同時に弾性作用を取り除くことができ、それにより、この固定された端部区域は、弾性化されていないカフ区域と一致するものと見なすことができる。
【００２５】
本発明による衛生用品のレッグ開口部は、少なくとも１つの弾性的なレッグ開口区域を有する。各々のレッグ開口部の弾性的なレッグ開口区域は、長辺の周縁区域が製造者の側で結合される以前の平坦に広げた状態で見たときに、用品の前側部分または裏側部分の長辺の周縁部を起点として、各々のレッグ開口部の円周に沿って曲線を描きながら、股上中心線へと向う方向へ延びていることが好ましい。弾性的なレッグ開口区域の湾曲した配置は、身体に合わせた衛生用品の適合化を特別に良好にサポートする。第１のレッグ開口区域の後に続いて、第２の弾性的なレッグ開口区域が設けられていることが好ましい。
【００２６】
第２のレッグ開口区域は、上に述べた種類の糸状またはテープ上の弾性化手段によって弾性化され、特に、中心の長軸（Ｌ）に対して平行に延びていることが好ましい。これにより、吸収コアに両側で結合された弾性化手段によって、第２のレッグ開口区域を構成することが可能になる。すなわち１つの好ましい実施形態では、第２の弾性的なレッグ開口区域は、吸収コアの弾性的な長手周縁部によって弾性化されていてよい。これに代えて、第２の弾性的なレッグ開口区域は、吸収コアの外部で両側に配置された、すなわち外側カバーと直接結合された、弾性化手段によって弾性化されていてよい。
【００２７】
各々のレッグ開口部のさらに別の第３の弾性的なレッグ開口区域は、同じく長辺の周縁区域が製造者の側で結合される以前の平坦に広げた状態で見たときに、用品の前側部分または裏側部分の長辺の周縁部を起点として、各々のレッグ開口部の円周に沿って曲線を描きながら、股上中心線へと向う方向へ延びていることが好ましい。
【００２８】
１つの好ましい実施形態では、各々のレッグ開口部は上に説明した第１、第２、および第３の弾性化されたレッグ開口区域を有し、それにより、第１および第３のレッグ開口区域は衛生用品の長手方向で見て著しい間隔を有するようになり、特に少なくとも１０ｃｍ、特に少なくとも１５ｃｍ、さらに特に少なくとも１８ｃｍ、さらに特に最大で３０ｃｍの間隔を有するようになっている。第２の弾性的なレッグ開口区域は、上記の間隔を少なくとも区域的に橋渡しするように配置されている。弾性的なレッグ開口区域の弾性作用が相互に妨げ合うのを回避するとともに、皮膚刺激にもつながる材料集塊を回避するために、第２の弾性的な各々のレッグ開口区域の端部領域は、第１および／または第３の弾性的な各々のレッグ開口区域の端部領域から特に間隔をおき、すなわち特に長さＡだけ間隔をおき、この長さＡは好ましくは１０ｍｍであり、特に少なくとも１５ｍｍ、さらには特に少なくとも１８ｍｍである。
【００２９】
弾性的なレッグ開口区域と弾性的なカフ区域との重なり合いまたは交差を本発明に基づいて回避するために、特に、弾性的なカフ区域の長手方向長さが、第１の弾性的なレッグ開口区域と第３の弾性的なレッグ開口区域との間の間隔Ｃの長手方向長さよりも最高で８ｃｍだけ、特に最高で６ｃｍだけ、特に最高で４ｃｍだけ、特に最高で２ｃｍだけ大きいことを特徴とする、前述した区域の配置と寸法設定が好ましいことが判明している。弾性的なカフ区域の長手方向長さが、第１の弾性的なレッグ開口区域と第３の弾性的なレッグ開口区域との間の間隔Ｃの長手方向長さと等しいか、または短く、特に少なくとも１ｃｍだけ短く、さらには特に少なくとも２ｃｍだけ小さく、さらには特に最高で４ｃｍだけ短い構成が格別に好ましい。
【００３０】
さらに、身体に近い配置がなされるように衛生用品の形状適合性を改善するために、ウエスト周縁部と股上領域との間に実質的に横方向に延びる弾性化手段が設けられていると、好ましいことが判明している。このような弾性化手段は、吸収体の領域において、股上領域の吸収体を強制的に収縮させることができる。
【００３１】
さらに、股上領域に実質的に横方向に延びる弾性化手段が設けられていることが、同じく好ましいことが判明している。すなわち、股上領域の吸収体が細く構成されているが、それにもかかわらず十分な吸収容量すなわち吸収性材料を提供することが、きわめて望ましい場合がある。そして、収縮によってこの領域の単位面積あたり重量を増やすことができ、それにより、この領域で大きな吸収容積を提供することができる。さらに、股上領域で横方向に延びる弾性化手段は、衛生用品に形状を付与することにつながる。股上領域で皿形状が生成されることが好ましい。
【００３２】
股上領域で実質的に横方向に延びる１つの弾性化手段、または複数の弾性化手段は、レッグ開口部を弾性化する弾性化手段とは別個に構成されていてよいであろう。本発明のさらに別の実施形態によると、弾性化されるレッグ開口区域の弾性化手段、特に第１および／または第３の弾性化されるレッグ開口区域の弾性化手段は、股上領域の弾性化手段へと移行していることが好ましいと判明し、すなわち、レッグ開口部の円周方向に延びている個所を起点として、転換点を介して実質的に横方向へ移行することによって、横方向に延びる１つまたは複数の弾性化手段を股上領域に形成し、このとき、実質的に連続的な曲線形状で分岐させるか、または非連続的に分岐させることができるが、連続的な推移の方が優先される。
【００３３】
例えば外観上の理由により、股上領域における吸収コアのギャザが望ましくない場合には、この弾性化手段は、特に転換点を通過した後の領域で、その弾性化作用を取り除き、特に分断することができる。その場合、弾性化手段は、この区域で外側カバーとの結合を有していない限りにおいて弛緩し、または弾性復帰する。
【００３４】
この分断は、例えばただ１つの切れ目によって行うことができる。あるいは、弾性化手段の分断が多数の切れ目によって行われ、それにより、以前は連続して延びていた弾性化手段が、特にミリメートル単位の長さの多数の小さい区域に分割され、それによってその弾性化作用を失わせることも考えられ、好ましいであろう。そのような場合、弾性化手段は、弛緩を妨げることにならないように、外側カバーと接着によって結合されていてもよい。弾性化手段の一重または多重の分断は、レーザ技術によって行うこともできる。これに代わる実施形態では、以前には延びていた弾性化手段が熱および／または圧力および／または超音波の適用によってその弾性作用を取り除かれる。熱および／または圧力の適用は、分離切れ目を設けることに比べて、外側カバーを形成している材料が意図せぬ形で一緒に切断されたり穴あけされたりする危険が少ないという利点をもたらす。
【００３５】
弾性化部材を無効にするために熱および／または圧力を適用する技術の開示については、欧州特許出願公開第１３７４８１４Ａ１号明細書を援用し、その限りにおいて同明細書の内容を本件出願の対象とする。
【００３６】
本発明の上記以外の構成要件、具体的事項、および利点は、添付の特許請求の範囲や図面による図示、および本発明による衛生用品の有利な実施形態についての以下の説明から明らかである。
【発明を実施するための最良の形態】
【００３７】
図１は、全体として符号２が付されたズボン型オムツ（「パンツ」）の形態の衛生用品を示しているが、製造者の側で長辺の周縁区域が結合される以前の平坦に広げた状態を示している。この衛生用品は、裏側部分４と、前側部分６と、その間に介在する、後にレッグくり抜き部８ａ、ｂを区切ることになる股上部分１０とを含む。平坦に広げた状態のとき、裏側部分４は長辺周縁部１２で区切られ、前側部分６は長辺周縁部１４で区切られている。これらはパンツ形状を形成するために、例えばヒートシールその他の通常の接合方法によって、ハンチングを付したゾーン１６ないし１８の領域で相互に結合される。このようにして、非破壊のまま外すことができる衛生用品の２つの横継目領域が形成される。あるいは構成が完成した衛生用品は、当接した状態から衛生用品を開くことができるようにするために、特にこの横継目領域に沿って、例えば引裂き紐の形態の予定破断線を有していても十分によい。これに加えて、衛生用品を開いた後に再びオムツのように閉じられるようにするために、それ自体任意の閉止部材、例えば接着もしくは機械的な付着をする閉止ラグが設けられていてもよい。ただし製造者の側では、衛生用品は、ブリーフ（「パンツ」）として製造され、したがって、全方向で区切られたウエスト開口部を形成する、円周方向に閉じたウエスト周縁部２０を有する。
【００３８】
さらに衛生用品２は、あらかじめ完成された機能的なユニットとして構成されている吸収体２２を含み、すなわち吸収コアは、液体吸収性で液体を備蓄する備蓄コア１２と、透液性のバックシート１４と、透液性のトップシート１３とを有する。カフ部材７は疎水性の不織布材料で構成され、その近位の周縁部７２が備蓄コア１２の両側で、長軸Ｌに対して平行にトップシート１３の上に固定されている。カフ部材７のそれぞれの遠位の周縁部７１は、股上中心部を含む区域、すなわち弾性的なカフ区域９に、弾性化手段７３すなわち弾性的なゴム糸を備える。ゴム糸の復帰力によって、弾性的なカフ区域９は図２に示すように、上方に向って利用者の皮膚の方へ起立することができる。前側および後側のウエスト周縁部２０ａ、２０ｂの方向では、各々のカフ部材は弾性化されないままに保たれ、したがって、そこでは弾性化されない区域１１を形成している。遠位の周縁部７１は、カフ部材７の後側および前側の端部区域７４では内方に向って折り返され、超音波溶接点５０によってトップシートの上に固定されている。さらに吸収コアは、長軸Ｌと平行に向いた弾性化手段８４を含み、これは図２に示すように、バックシートの折り返された長手周辺部に固定されている。トップシート１３とバックシート１４との間に弾性化手段８４の構造を直接設けることも考えられよう。弾性化手段８４は、横方向３８で見て、カフ部材７の近位の周縁部７２の外部に配置されることが好ましく、すなわち弾性化手段８４は、カフ部材７の近位の周縁部７２よりも、レッグ開口部８ａ、ｂの近くに配置されている。
【００３９】
吸収コアは、あらかじめ完成された機能的なユニットとして、身体から遠い方の側で、すなわち身体と反対を向いている方のバックシート１４の側で、外側カバーの身体に近い方の側と結合されている。オムツ本体を構成する外側カバー３０は、前側のウエスト周縁部２０ａから後側のウエスト周縁部２０ｂまで連続して延び、本例では、少なくとも区域的に結合された、身体に近い方の不織布層３２と身体から遠い方の不織布層３１からなる２層の積層不織布を含む。それぞれのウエスト周縁部２０ａ、２０ｂと、レッグ開口部８ａ、ｂの開始部との間には、両方の不織布層３１、３２の間で初期応力をかけられた状態でホットメルト接着剤により固定された、弾性的なゴム糸３３が横方向３８に伸びている。ウエスト周縁部２０ａ、２０ｂは、同じく横方向３８に延びる（ここには図示しない）弾性化手段を有する。
【００４０】
さらに、レッグ開口部８ａ、ｂを区域的に弾性化する弾性化手段８６を見ることができる。やはりゴム糸として製作されているこの弾性化手段８６も、両方の不織布層３１、３２の間で初期応力をかけられた状態で、ホットメルト接着剤により固定されている。弾性化手段８６は、裏側部分４の長辺周縁部１２を起点として、着目するレッグ開口部８ａ、ｂの円周４０に沿って曲線を描きながら、股上中心線４２に向う方向へ延びている。ただし、弾性化手段８６の弾性化作用は股上中心線４２まで連続してはおらず、長辺周縁部１２を起点として、第１のレッグ開口区域８１だけに限定されている。すなわち弾性化手段８６はレッグ開口部８ａの円周方向に延びてから、転換点Ｗを介して、実質的に横方向３８へと移行していく。次いで、この弾性化手段は、吸収コア２２の下側で股上領域を横切り、向かい合う側で、もう一方の第２のレッグ開口部８ｂに沿って鏡像対称な推移を見せている。ただし、吸収コアの下側では、弾性化手段８６は圧力と熱の適用によって弾性作用を取り除かれている。
【００４１】
同じく弾性化手段８６も、前側部分６の長辺周縁部１４を起点として、着目するレッグ開口部８ａ、ｂの円周４０に沿って股上中心線４２へ向う方向に延びている。ただし、前側部分６にある弾性化手段８６の弾性化作用も、股上中心線４２まで連続しているのではなく、長辺周縁部１２を起点として第３のレッグ開口区域８３だけに限定されている。すなわち、やはり弾性化手段８６もレッグ開口部８ａの円周方向に延びてから、転換点Ｗを介して、まだ股上中心線４２へ到達する前に実質的に横方向３８へと移行する。次いで、この弾性化手段は吸収コア２２の下側で股上領域を横切り、向かい合う側で、もう一方の第２のレッグ開口部８ｂに沿って鏡像対称の推移を見せている。ただし吸収コアの下側では、弾性化手段８６は圧力と熱の適用によって弾性作用を取り除かれている。
【００４２】
このように、第１のレッグ開口区域８１および第３のレッグ開口区域８３は、本例では２３ｃｍである、長手方向２８に延びる間隔Ｃを有する。
【００４３】
さらに、第２の弾性化されたレッグ開口区域８２を形成し、この間隔Ｃを部分的に充填する、先ほどすでに説明した弾性化手段８４を見ることができる。ただし、第２の弾性的なレッグ開口区域８２の端部領域と、第１の弾性的なレッグ開口領域８１および第３の弾性的なレッグ開口区域８３のそれぞれの端部領域との間には、２０ｍｍの間隔Ａが残されている。それにより、弾性作用の相互の妨げを回避することができる。またそれによって、同じく皮膚刺激につながる可能性がある、相上下して配置された弾性材料の集塊が回避される。
【００４４】
図４は、図１から図３に示す利用者への当接後の衛生用品２が、弾性化手段８６を備える第１および第３の弾性的なレッグ開口区域８１、８３と、弾性的なカフ区域９との配置を、レッグ開口部８ａの斜視図として示し、利用者そのものは図示していない。レッグ開口部８ａの一部分の周囲に、第１の弾性的なレッグ開口区域８１、第２の弾性的なレッグ開口区域８２、および第３の弾性的なレッグ開口区域８３を見ることができる。さらに、弾性的なカフ区域９と弾性的でないカフ区域１１とを備えるカフ部材７を見ることができる。弾性的なレッグ開口区域と弾性的なカフ区域との交差は、確実に回避される。第１の弾性的なレッグ開口区域８１および第３の弾性的なレッグ開口区域８３と、カフ部材７との交差は、弾性的でないカフ区域１１によってのみ、図４に図示している仮想的な円の内部で行われる。それにより、利用者の足に密着して応力のもとで当て付けられる領域では、ひだになった材料の材料集塊が減り、それによって皮膚刺激の危険性が減る。
【図面の簡単な説明】
【００４５】
【図１】本発明による衛生用品の第１の実施形態を、製造者の側で長辺の周縁領域が結合される以前の平坦に広げた状態で示す平面図である。
【図２】図１に示す衛生用品のＦ−Ｆ平面に沿った第１の断面図である。
【図３】図１に示す衛生用品のＧ−Ｇ平面に沿った第１の断面図である。
【図４】本発明によるオムツを利用者に当接した状態で示す斜視図である。
【図１】
2008544783.tif 000003
【図２】
2008544783.tif 000004
【図３】
2008544783.tif 000005
【図４】
2008544783.tif 000006
【国際調査報告】
2008544783.tif 000007
2008544783.tif 000008
2008544783.tif 000009
2008544783.tif 000010
2008544783.tif 000011
2008544783.tif 000012